(57)【要約】 【課題】  測定対象とする電流線に外付けすることができる電流スイッチであって、簡単な構成で小型軽量な実装構造を提供すること。【解決手段】  底面の中央部に貫通孔１１を有する箱体状ケースの側面５１と貫通孔１１の間にガラス管１２を固定し、第１のリード１３は、箱体状ケースの側面３１に設けた第１の外部信号端子１４に接続され、第２のリード２３は、箱体状ケースの側面４１に設けた第２の外部信号端子２４に接続されるとともに、箱体状ケース側面６１と貫通孔１１の間を延びて第１のリード１３の近傍まで延びて、第１のリード１３と第２のリード２３により貫通孔１１の外周に磁気的なループを形成させて電流スイッチ実装構造を構成する。【選択図】  図２
2009176643.tif 000002
【特許請求の範囲】
【請求項１】
一端に接点部が形成されている磁性材料からなる２個のリードをそれぞれの前記接点部が所定のギャップとオーバーラップ量を保って対面するようにガラス管の両端で封止固定されたリードスイッチを用いる電流スイッチであって、前記２個のリードにより磁気的なループが形成されていることを特徴とする電流スイッチ。
【請求項２】
一端に接点部が形成されている磁性材料からなる２個のリードをそれぞれの前記接点部が所定のギャップとオーバーラップ量を保って対面するようにガラス管の両端で封止固定されたリードスイッチ２個を用いる電流スイッチであって、前記４個のリードにより磁気的なループが形成されていることを特徴とする電流スイッチ。
【請求項３】
前記磁気的なループの前記接点部以外に少なくとも１つのヨークを設けたことを特徴とする請求項１または請求項２に記載の電流スイッチ。
【請求項４】
一端に接点部が形成されている磁性材料からなる２個のリードをそれぞれの前記接点部が所定のギャップとオーバーラップ量を保って対面するようにガラス管の両端で封止固定されたリードスイッチを用いる電流スイッチであって、前記２個のリードと少なくとも１つのヨークによって、磁気的なループが形成されていることを特徴とする電流スイッチ。
【請求項５】
一端に接点部が形成されている磁性材料からなる２個のリードをそれぞれの前記接点部が所定のギャップとオーバーラップ量を保って対面するようにガラス管の両端で封止固定されたリードスイッチ２個を用いる電流スイッチであって、前記４個のリードと少なくとも１つのヨークによって、磁気的なループが形成されていることを特徴とする電流スイッチ。
【請求項６】
底面の中央部に貫通孔を有し４つの側面からなる箱体状ケースと、一端に接点部が形成されている磁性材料からなる第１のリードと第２のリードをそれぞれの前記接点部が所定のギャップとオーバーラップ量を保って対面するようにガラス管の両端で封止固定されたリードスイッチと、前記箱体状ケースの対向する側面にそれぞれ設けられた第１及び第２の外部信号端子からなる電流スイッチであって、前記ガラス管は前記箱体状ケースの前記外部信号端子が設けられていない一方の側面と前記貫通孔の間に配設され、前記ガラス管から延びた第１のリードは、前記第１の外部信号端子に接続され、前記ガラス管から延びた第２のリードは、前記第２の外部信号端子に接続されるとともに、前記箱体状ケースの外部信号端子が設けられていないもう一方の側面と前記貫通孔の間を通って前記第１のリードの近傍まで延びて、前記第１のリードと第２のリードにより前記貫通孔の外周に磁気的なループが形成されていることを特徴とする電流スイッチ実装構造。
【請求項７】
底面の中央部に貫通孔を有し４つの側面からなる箱体状ケースと、一端に接点部が形成されている磁性材料からなる第１のリードと第２のリードをそれぞれの前記接点部が所定のギャップとオーバーラップ量を保って対面するようにガラス管の両端で封止固定されたリードスイッチ２個と前記箱体状ケースの対向する一方の側面に第１及び第３の外部信号端子が並設され、前記箱体状ケースの対向するもう一方の側面に第２の外部信号端子が設けられた電流スイッチであって、前記箱体状ケースの前記外部信号端子が設けられていない対向する側面と前記貫通孔の間にそれぞれ前記ガラス管が配設され、前記ガラス管から延びた第１のリードは、それぞれ前記箱体状ケースの前記第１及び第３の外部信号端子に接続され、前記ガラス管から延びた前記第２のリードは、それぞれ前記箱体状ケースの前記第２の外部信号端子に接続され、前記第１のリードと第２のリードにより前記貫通孔の外周に磁気的なループが形成されていることを特徴とする電流スイッチ実装構造。
【請求項８】
前記磁気的なループの前記接点部以外の箇所にヨークが架設されている事を特徴とする請求項６または請求項７に記載の電流スイッチ実装構造。
【請求項９】
前記リードスイッチ２個の感度が異なる事を特徴とする請求項２，５，７のいずれか１項に記載の電流スイッチ及び電流スイッチ実装構造。
【請求項１０】
前記ヨークの形状が、前記ループに垂直な断面がＬ字型である事を特徴とする請求項３，４，５，８のいずれか１項に記載の電流スイッチ及び電流スイッチ実装構造。
【請求項１１】
前記接点部はＲｕ（ルテニウム）材料が用いられていることを特徴とする請求項１から１０のいずれか１項に記載の電流スイッチ及び電流スイッチ実装構造。
【発明の詳細な説明】
【技術分野】
【０００１】
本発明は、電流線に直流電流が流れたことを検出する電流スイッチに関し、特にリードスイッチを用いた電流スイッチ及び電流スイッチ実装構造に関するものである。
【背景技術】
【０００２】
リードスイッチを用いた電流スイッチとしては、従来からリードスイッチのガラス管の周囲に銅線をコイル状に巻き回したリードリレーの技術があった。リードリレーの構成は、特許文献1に開示されている。
【０００３】
図６はリードリレーの説明図である。リードリレーは、ガラス管２、リード３、巻線コイル８、リードスイッチ端子１９、電流端子２９、ケース７１から構成されている。一端に接点部が形成されている磁性材料からなる２個のリード３のそれぞれの接点部を所定のギャップとオーバーラップ量を保って対面するようにガラス管２の両端で封止固定されてリードスイッチが構成されている。ケース７１の対向する側面それぞれにリードスイッチ端子１９と電流端子２９が並設されている。ガラス管２から延びたリード３はリードスイッチ端子１９に接続されている。ガラス管の周囲に巻回された巻線コイル８から延びた銅線は電流端子２９に接続されている。ここで、ガラス管２の周囲には、絶縁材料からなる巻枠があり、巻線コイル８は巻枠に巻き回されているが、図６において巻枠の図示は省略した。
【０００４】
電流端子２９間に電流が流れていないときは、２個のリード３の接点は開いているのでリードスイッチ端子１９間はＯＦＦとなる。電流端子２９間に電流が流れると、巻線コイル８により磁界が発生し、２個のリード３の接点が閉じて、リード端子スイッチ１９間がＯＮとなる。
【０００５】
このリードリレーに用いられていたリードスイッチは、感動値は２０〜３０（Ａ）程度のものが用いられ、感度が鈍いために、電流端子２９間の電流でスイッチをＯＮ、ＯＦＦさせるために巻線コイル８が用いられている。この形式の電流スイッチの場合は、巻線コイル８を回路内に直に挿入するために、その内部抵抗により回路内に電送ロスが発生してしまうという問題があった。従って電送ロスが小さく、さらに回路内の電流線に外付けできるような電流スイッチが要望されている。ここで感動値とは、リードスイッチの感度を表し、接点部を動作させる電流値（Ａ）とコイル巻数（Ｔ）の積であり、単位はＡ（アンペア）である。感動値は、値が小さいほど感度が良い。
【０００６】
一方、電流線に対して、外付けして直流電流が流れているかを判定する電流スイッチとしては、例えば従来は磁気抵抗素子を用いた磁気センサによる電流スイッチの技術があった。この技術は特許文献２に開示されている。
【０００７】
磁気抵抗素子を用いた磁気センサによる電流スイッチでは、電流線に外付けすることができるが、磁気センサと永久磁石が用いられるので、大きく重くなってしまうという問題があった。
【０００８】
【特許文献１】特開昭５９−８６１２８号公報
【特許文献２】特開平８−３０４４７９号公報
【発明の開示】
【発明が解決しようとする課題】
【０００９】
本発明は、電流線に外付けができる電流スイッチであって、簡単な構成で小型軽量な実装構造を提供することにある。
【課題を解決するための手段】
【００１０】
本発明は、一端に接点部が形成されている磁性材料からなる２個のリードをそれぞれの前記接点部が所定のギャップとオーバーラップ量を保って対面するようにガラス管の両端で封止固定されたリードスイッチを用いた電流スイッチであって、前記２個のリードにより磁気的なループが形成されていることを特徴とする電流スイッチである。本発明の電流スイッチは、この磁気的なループに測定対象の電流線を通過させて使用する。電流線に電流が流れることにより発生する磁界が、磁性材料からなるリードの磁気的なループに集中することにより実用的なレベルでリードスイッチの接点部を開閉することが可能となる。
【００１１】
本発明は、一端に接点部が形成されている磁性材料からなる２個のリードをそれぞれの前記接点部が所定のギャップとオーバーラップ量を保って対面するようにガラス管の両端で封止固定されたリードスイッチ２個を用いる電流スイッチであって、前記４個のリードにより磁気的なループが形成されていることを特徴とする電流スイッチである。
【００１２】
本発明は、前記磁気的なループの前記接点部以外に少なくとも１つのヨークを設けたことを特徴とする上記の電流スイッチである。
【００１３】
本発明は、一端に接点部が形成されている磁性材料からなる２個のリードをそれぞれの前記接点部が所定のギャップとオーバーラップ量を保って対面するようにガラス管の両端で封止固定されたリードスイッチを用いる電流スイッチであって、前記２個のリードと少なくとも１つのヨークによって、磁気的なループが形成されていることを特徴とする電流スイッチである。
【００１４】
本発明は、一端に接点部が形成されている磁性材料からなる２個のリードをそれぞれの前記接点部が所定のギャップとオーバーラップ量を保って対面するようにガラス管の両端で封止固定されたリードスイッチ２個を用いる電流スイッチであって、前記４個のリードと少なくとも１つのヨークによって、磁気的なループが形成されていることを特徴とする電流スイッチである。
【００１５】
本発明は、底面の中央部に貫通孔を有し４つの側面からなる箱体状ケースと、一端に接点部が形成されている磁性材料からなる第１のリードと第２のリードをそれぞれの前記接点部が所定のギャップとオーバーラップ量を保って対面するようにガラス管の両端で封止固定されたリードスイッチと、前記箱体状ケースの対向する側面にそれぞれ設けられた第１及び第２の外部信号端子からなる電流スイッチであって、前記ガラス管は前記箱体状ケースの前記外部信号端子が設けられていない一方の側面と前記貫通孔の間に配設され、前記ガラス管から延びた第１のリードは、前記第１の外部信号端子に接続され、前記ガラス管から延びた第２のリードは、前記第２の外部信号端子に接続されるとともに、前記箱体状ケースの外部信号端子が設けられていないもう一方の側面と前記貫通孔の間を通って前記第１のリードの近傍まで延びて、前記第１のリードと第２のリードにより前記貫通孔の外周に磁気的なループが形成されていることを特徴とする電流スイッチ実装構造である。
【００１６】
本発明は、底面の中央部に貫通孔を有し４つの側面からなる箱体状ケースと、一端に接点部が形成されている磁性材料からなる第１のリードと第２のリードをそれぞれの前記接点部が所定のギャップとオーバーラップ量を保って対面するようにガラス管の両端で封止固定されたリードスイッチ２個と前記箱体状ケースの対向する一方の側面に第１及び第３の外部信号端子が並設され、前記箱体状ケースの対向するもう一方の側面に第２の外部信号端子が設けられた電流スイッチであって、前記箱体状ケースの前記外部信号端子が設けられていない対向する側面と前記貫通孔の間にそれぞれ前記ガラス管が配設され、前記ガラス管から延びた第１のリードは、それぞれ前記箱体状ケースの前記第１及び第３の外部信号端子に接続され、前記ガラス管から延びた前記第２のリードは、それぞれ前記箱体状ケースの前記第２の外部信号端子に接続され、前記第１のリードと第２のリードにより前記貫通孔の外周に磁気的なループが形成されていることを特徴とする電流スイッチ実装構造である。
【００１７】
本発明は、前記磁気的なループの前記接点部以外の箇所にヨークが架設されている事を特徴とする上記の電流スイッチ実装構造である。
【００１８】
本発明は、前記リードスイッチ２個の感度が異なる事を特徴とする上記の電流スイッチ及び電流スイッチ実装構造である。
【００１９】
本発明は、前記ヨークの形状が前記ループに垂直な断面がＬ字型である事を特徴とする上記の電流スイッチ及び電流スイッチ実装構造である。
【００２０】
本発明は、前記接点部はＲｕ（ルテニウム）材料が用いられていることを特徴とする上記の電流スイッチ及び電流スイッチ実装構造である。
【発明の効果】
【００２１】
本発明により、電流線に外付けすることが可能で、内部損失がほとんどない実用的で小型軽量な電流スイッチを提供することができる。また構成により複数の異なった電流値を検出することが可能である。また測定対象となる電流線を磁気的ループに通すだけで取り付けられるため取り付け場所の選定や外付け作業が容易である。
【発明を実施するための最良の形態】
【００２２】
以下、本発明の実施の形態について図面を参照して説明する。
【００２３】
図１は、本発明の第１の実施の形態の電流スイッチ実装構造の説明図である。図１（ａ）は、本発明の箱体状ケースの斜視図である。図１（ｂ）は本発明の箱体状ケースにリードスイッチを配設した電流スイッチ実装構造の斜視図を示している。本発明の電流スイッチ実装構造は、箱体状ケース１、ガラス管１２、第１のリード１３、第２のリード２３、外部信号端子１４，２４、絶縁シート６３から構成されている。一端に接点部が形成されている磁性材料からなる第１のリード１３、第２のリード２３は、接点部が所定のギャップとオーバーラップ量を保って対面するようにガラス管１２に封入されてリードスイッチを構成している。本発明のリードスイッチは、接点材料としてＲｕ（ルテニウム）を用い、感動値は１０（Ａ）以下の高感度特性のリードスイッチを用いることが望ましい。
【００２４】
図１（ａ）より、本発明の電流スイッチ実装構造の箱体状ケース１は、絶縁材料からなり、中央部に貫通孔１１が形成された底面と４つの側面３１,４１，５１，６１から構成されている。各側面の内側にはロ字状溝２１が形成されている。ロ字状溝２１の幅は図１（ｂ）のガラス管１２の外径寸法よりも広く、深さもガラス管１２の外径寸法よりも深い。貫通孔１１の内径は、測定対象とする電流線よりも大きな寸法に設定されている。
【００２５】
図１（ｂ）より、本発明の電流スイッチ実装構造は、対向する側面３１，４１にそれぞれ外部信号端子１４と外部信号端子２４が配設されている。外部信号端子１４、外部信号端子２４は、それぞれロ字状溝２１上まで延びている。
【００２６】
ガラス管１２は、ロ字状溝２１内の側面５１と貫通孔１１の間に配設されている。ガラス管１２から延びた第１のリード１３は、側面３１の方向に延びてからロ字状溝２１内に沿って折り曲げられ、外部信号端子１４と接続されている。
【００２７】
ガラス管１２から延びた第２のリード２３は、側面４１の方向に延びてからロ字状溝２１内に沿って折り曲げられ、外部信号端子２４と接続されている。さらに第２のリード２３は、ロ字状溝２１内に沿って折り曲げられ、側面６１と貫通孔１１の間を側面３１の方向まで延びてから、さらにロ字状溝２１内に沿って折り曲げられ第１のリード１３の近傍まで延びている。第１のリード１３と第２のリード２３は、絶縁シート６３にて絶縁されている。第１のリード１３と第２のリード２３にて、貫通孔１１の外周を囲んだループとなっている。このループは接点部や絶縁シートの部分に空隙を含んでいるが、このように磁性材料のリード２本により磁気的な閉ループを形成している。
【００２８】
図２は、本発明の第１の実施の形態の電流スイッチ実装構造を測定対象の電流線に取り付けた形態を示す説明図である。本発明の電流スイッチ実装構造は、貫通孔１１に電流線５を通して取り付ける。すなわち磁性材料からなるリードにより形成された磁気的な閉ループ内に電流線５を通して取り付けることになる。矢印Ａは電流方向であり、矢印Ｂは磁界方向である。電流線５に直流電流が流れていないときは、第１のリード１３と第２のリード２３の接点は開いているので外部信号端子１４，２４間はＯＦＦとなる。電流線５に直流電流がＡ方向に流れると、電流線５の周囲には矢印Ｂの方向に磁界が発生する。発生した磁界による磁力線は磁気的な閉ループに集中するので、第１のリード１３と第２のリード２３の接点は閉じて、外部信号端子１４，２４間はＯＮとなる。
【００２９】
図３は、本発明の第２の実施の形態の電流スイッチ実装構造の説明図であり、本発明の第２の実施の形態の電流スイッチ実装構造を測定対象の電流線に取り付けた形態を示している。本発明の第２の実施の形態の電流スイッチ実装構造は、図１で説明した本発明の第１の実施の形態の電流スイッチ実装構造にガラス管２２とその両端から延びた第３のリード３３、第４のリード４３と、リード接続部５３と、外部信号端子３４を追加した形態である。側面３１に、外部信号端子１４、３４が並設されている。一端に接点部が形成されている磁性材料からなる第３のリード３３、第４のリード４３は、接点部が所定のギャップとオーバーラップ量を保って対面するようにガラス管２２に封入されてリードスイッチを構成している。第１の実施の形態と同様に接点材料としてはＲｕ（ルテニウム）を用い、感動値は１０（Ａ）以下の高感度特性のリードスイッチを用いるのが望ましい。
【００３０】
ガラス管１２は、本発明の第１の実施の形態の電流スイッチ実装構造と同様に側面５１と貫通孔１１の間に配設されている。ガラス管１２から延びた第１のリード１３は、側面３１の方向に延びて外部信号端子１４と接続されている。ガラス管１２から延びた第２のリード２３は、第２の幅方向の側面４１の方向に延びてから外部信号端子２４と接続されている。  
【００３１】
ガラス管２２は、側面６１と貫通孔１１の間に配設されている。ガラス管２２から延びた第３のリード３３は、箱体状ケース１の側面３１の方向に延びてから外部信号端子３４と接続されている。第１のリード１３と第３のリード３３は、絶縁シート６３にて絶縁されている。
【００３２】
ガラス管２２から延びた第４のリード４３は、側面４１の方向に延びてから外部信号端子２４と接続されている。ここで第２のリード２３と第４のリード４３は、リード接続部５３によって接続されるとともに、外部信号端子２４と接続されている。したがって、ガラス管１２から延びた第１のリード１３と第２のリード２３と、第２のガラス管２２から延びた第３のリード３３と第４のリード４３は、貫通孔１１の外周を囲んだループとなっている。第２の実施の形態の場合には磁性材料からなる４本のリードで磁気的な閉ループを形成している。
【００３３】
外部信号端子２４は、第２のリード２３と第４のリード４３が接続されているので外部信号端子１４と外部信号端子２４からなる電流スイッチと、外部信号端子３４と外部信号端子２４からなる電流スイッチが構成される。
【００３４】
ガラス管１２と第１のリード１３、第２のリード２３から構成されるリードスイッチとガラス管２２と第３のリード３３、第４のリード４３から構成されるリードスイッチは、感度の異なるリードスイッチを用いることにより、電流線５に流れる大小の電流値を検出することができる。
【００３５】
ここで、本発明の第１の実施の形態と第２の実施の形態の電流スイッチ実装構造は、箱型状ケースに収納した形態にて説明したが、ケースはガラス管の保護、絶縁、実装が主たる目的なので、リードスイッチにより電流線の外周に磁気的なループが形成されていれば良いのでケースの形状は長方形の箱型でなくともかまわない。
【００３６】
図４は、本発明の第３の実施の形態の電流スイッチ実装構造の説明図であり、本発明の第３の実施の形態の電流スイッチ実装構造を測定対象の電流線に取り付けた形態を示している。本発明の第３の実施の形態の電流スイッチ実装構造は、図３で説明にした本発明の第２の実施の形態の電流スイッチ実装構造の第１のリード１３、第３のリード３３の上に第１の平板ヨーク１６と、第２のリード２３、第４のリード４３の上に第２の平板ヨーク２６を追加した形態である。ここで第１の平板ヨーク１６と第１のリード１３、第３のリード３３は接触しないように架設されている。第２の平板ヨーク２６と第２のリード２３、第３のリード４３は接触しないように架設されている。平板ヨークは磁性材料からなり、パーマロイ系が望ましい。このように磁性材料からなる４本のリードと磁性材のヨークで磁気的な閉ループが構成されている。
【００３７】
平板ヨークを架設することにより、電流線５に電流が流れる事により発生する磁界を集中する事ができるので、外部信号端子１４，２４からなる電流スイッチと外部信号端子３４，２４からなる電流スイッチの検出感度を向上させることができる。ただし、接点部を開閉するための磁界が小さくならないようにガラス管１２、２２内の接点部にはヨークを架設しないようにするほうが望ましい。
【００３８】
図５は、本発明の第４の実施の形態の電流スイッチ実装構造の説明図であり、本発明の第４の実施の形態の電流スイッチ実装構造を測定対象の電流線に取り付けた形態を示している。本発明の第４の実施の形態の電流スイッチ実装構造は、図４で説明にした本発明の第３の実施の形態の電流スイッチ実装構造の第１のリード１３、第３のリード３３の上と、第２のリード２３、第４のリード４３の上に追加した第１の平板ヨーク１６と第２の平板ヨーク２６の形状を、それぞれ貫通孔１１方向での断面がＬ字形状である第１のＬ字型ヨーク１７と第２のＬ字型ヨーク２７に変更し、貫通孔１１に対称に配設した形態である。ここで本発明の第３の実施の形態の電流スイッチ実装構造と同様に第１のＬ字型ヨーク１７と第１のリード１３、第３のリード３３は接触しないように架設されている。第２のＬ字型ヨーク２７と第２のリード２３、第３のリード４３は接触しないように架設されている。Ｌ字型ヨークは磁性材料からなり、パーマロイ系が望ましい。この場合も本発明の第３の実施の形態と同様に、磁性材料からなる４本のリードと磁性材のヨークで磁気的なループが構成されている。
【００３９】
Ｌ字型ヨークを配設することにより、電流線５に直流電流が流れる事により発生する磁界と接する面積が大きくなり磁界を集中する事ができるので外部信号端子１４，２４からなる電流スイッチと外部信号端子３４，２４からなる電流スイッチの検出感度を本発明の第３の実施の形態の電流スイッチ実装構造よりもさらに向上させることができる。なお、本発明の第３、第４の実施の形態の場合は、４本のリードのみでも磁気的なループを構成し、その磁気的なループの一部にヨークを設置する構成であるが、４本のリードとヨークで磁気的なループを構成してあれば良く、４本のリードで磁気的なループの一部のみを構成し、不足のループ部分をヨークで補う構成であっても良い。
【実施例１】
【００４０】
本発明の第１の実施例を、第１の実施の形態で示した図１（ａ），図１（ｂ）を参照して説明する。外形寸法２０×２０ｍｍの底面の中央部にφ８ｍｍの貫通孔１１を有し、高さ５ｍｍの箱体状ケース１を用意した。接点材料Ｒｕ（ルテニウム）からなり、外径φ０．５２ｍｍのリードが微小間隔のギャップとオーバーラップ量を保って対面するように外径φ２．２ｍｍ、長さ１４ｍｍのガラス管１２に封入された、感動値が８（Ａ）のリードスイッチを用意した。箱体状ケース１の対向する側面にそれぞれ外部信号端子１４，２４を配設した。箱体状ケース１の側面の内側には幅２．５ｍｍ深さ３ｍｍのロ字状溝２１を設けた。ガラス管１２をロ字状溝２１の一辺に配設し、ガラス管から延びた第１のリード１３は長さ５ｍｍで、ガラス管に垂直に曲げられ外部信号端子１４に接続した。第２のリード２３は全長４０ｍｍで、ガラス管に垂直に曲げられ、まず外部信号端子２４に接続した後、ロ字状溝内に沿ってガラス管に平行に曲げられ、さらにロ字状溝２１内に沿って曲げられて外部信号端子１４の近傍まで延びて、ガラス管１２、第１のリード１３、第２のリード２３にて、一辺が約１５ｍｍの角型ループを形成した。第１、第２のリード間には絶縁シートを配設した。
【００４１】
次に、比較例として同様に外形寸法２０×２０ｍｍの底面の中央部にφ８ｍｍの貫通孔１１を有し、高さ５ｍｍの箱体状ケース１を用意した。接点材料Ｒｕ（ルテニウム）からなり、外径φ０．５２ｍｍのリードが微小間隔のギャップとオーバーラップ量を保って対面するように外径φ２．２ｍｍ、長さ１４ｍｍのガラス管１２に封入された、感動値が８（Ａ）のリードスイッチを用意した。箱体状ケース１の対向する側面にそれぞれ外部信号端子１４，２４を配設した。箱体状ケース１の側面の内側には幅２．５ｍｍ深さ３ｍｍのロ字状溝２１を設けた。ガラス管１２をロ字状溝２１の一辺に配設し、ガラス管１２から延びた第１のリード１３は長さ５ｍｍで、ガラス管に垂直に曲げられ第１の外部信号端子１４に接続した。ガラス管１２から延びた第２のリード２３は、長さ５ｍｍでガラス管に垂直に曲げられ、第２の外部信号端子２４に接続した。第１のリード１３と第２のリード２３はループ形状を成さない形態を構成した。
【００４２】
本発明の第１の実施例と比較例につき、図２に示すように貫通孔１１に電流線５を通して本発明の第１の実施例による電流スイッチ実装構造を電流線５に取り付けた。本発明の第１の実施例では、電流線５に電流が流れて８（Ａ）以上でリードスイッチの接点が閉じて、外部信号端子１４，２４間がＯＮとなり電流を検出する事ができた。比較例の場合には、ループ形状がなされていないため電流を検出することができなかった。比較例の場合でも、仮に理論的にはより大電流を流すことによりリードスイッチの接点を閉じることはできるが、第１の実施例と比較すれば、あまり実用的ではない。
【実施例２】
【００４３】
本発明の第２の実施例を、第２の実施の形態で示した図３を参照して説明する。第１の実施例と同様に外形寸法２０×２０ｍｍの底面の中央部にφ８ｍｍの貫通孔１１を有し、高さ５ｍｍの箱体状ケース１を用意した。接点材料Ｒｕ（ルテニウム）からなり、外径φ０．５２ｍｍのリードが微小間隔のギャップとオーバーラップ量を保って対面するように外径φ２．２ｍｍ、長さ１４ｍｍのガラス管１２に封入され、リードの外径φ０．５２ｍｍで感動値が８（Ａ）のリードスイッチと、同じ形状のリードがガラス管２２に封入され、感動値が１０（Ａ）のリードスイッチを用意した。箱体状ケース１の側面３１に外部信号端子１４，３４を並設し、側面４１には外部信号端子２４を配設した。箱体状ケース１の貫通孔１１と側面５１，６１の間にそれぞれガラス管１２，２２を配設し、ガラス管１２から延びた第１のリード１３は長さ５ｍｍで、ガラス管１２に垂直に曲げられ第１の外部信号端子１４に接続した。ガラス管２２から延びた第３のリード３３は長さ５ｍｍで、ガラス管２２に垂直に曲げられ外部信号端子３４に接続した。第４のリード４３は長さ５ｍｍで、ガラス管２２に垂直に曲げられ、外部信号端子２４に接続した。ガラス管１２，２２、第１のリード１３、第２のリード２３、第３のリード３３、第４のリード４３にて、一辺が約１５ｍｍの角型ループ形状を形成した。第１、第３のリード間には絶縁シート６３を配設した。
【００４４】
図３に示すように、貫通孔１１に電流線５を通して、本発明の第２の実施例による電流スイッチ実装構造を電流線５に取り付けた。電流線５に直流電流を流した場合、１０（Ａ）以上で２つのリードスイッチの接点が閉じ、外部信号端子１４，２４間と３４，２４間がＯＮとなり電流を検出することができた。電流線５に電流が流れて８（Ａ）以上１０（Ａ）以下でガラス管１２、第１のリード１３、第２のリード２３からなるリードスイッチのみの接点が閉じて外部信号端子１４，２４間がＯＮとなり電流を検出することができた。したがって異なる電流値を検出する事ができた。
【図面の簡単な説明】
【００４５】
【図１】本発明の第１の実施の形態の電流スイッチ実装構造の説明図。図１（ａ）は、本発明の箱体状ケースの斜視図。図１（ｂ）は本発明の箱体状ケースにリードスイッチを配設した電流スイッチ実装構造の斜視図。
【図２】本発明の第１の実施の形態の電流スイッチ実装構造を測定対象の電流線に取り付けた形態を示す説明図。
【図３】本発明の第２の実施の形態の電流スイッチ実装構造の説明図。
【図４】本発明の第３の実施の形態の電流スイッチ実装構造の説明図。
【図５】本発明の第４の実施の形態の電流スイッチ実装構造の説明図。
【図６】リードリレーの説明図。
【符号の説明】
【００４６】
１    箱体状ケース
２、１２、２２    ガラス管
３    リード
５    電流線
８    巻線コイル
１１    貫通孔
１３    第１のリード
１４、２４、３４    外部信号端子
１６    第１の平板ヨーク
１７    第１のＬ字型ヨーク
１９    リードスイッチ端子
２１    ロ字状溝
２３    第２のリード
２６    第２の平板ヨーク
２７    第２のＬ字型ヨーク
２９    電流端子
３１，４１，４１，５１    側面
３３    第３のリード
４３    第４のリード
５３    リード接続部
６３    絶縁シート
７１    ケース
Ａ    電流方向
Ｂ    磁界方向
【図１】
2009176643.tif 000003
【図２】
2009176643.tif 000004
【図３】
2009176643.tif 000005
【図４】
2009176643.tif 000006
【図５】
2009176643.tif 000007
【図６】
2009176643.tif 000008